(57)【要約】【課題】従来の回路では、制御回路１４及びコモン信号生成回路１２のいずれか又は両方が、故障していた場合に印刷ヘッドの誤動作及び破壊が発生する可能性がある。本発明の目的は、印刷ヘッド１３の誤動作及び保護の信頼性を向上させることになる。【解決手段】電源オン時にシステムリセット信号で制御回路及び前記コモン信号生成回路をリセットする手段と、またライン印刷終了した時に前記制御回路及びコモン信号生成回路をリセットし、前記データラッチ回路に無印字データを転送し当該回路の出力信号をオフにする手段とを備え、印刷ヘッドの誤動作を防止することができる。【選択図】      図１
2005014544.tif 000002
【特許請求の範囲】
【請求項１】
印刷データを格納メモリと、当該メモリから印刷データを読み出すＣＰＵと、読み出された印刷データと同期信号とラッチ信号とコモン信号制御信号を出力する制御回路と、前記コモン信号制御信号を受信し制御信号を出力するコモン信号生成回路と、前記印刷データを前記ラッチ信号に同期にして取り込むデータラッチ回路と、前記制御信号とデータラッチ回路の出力信号が同時にオンの状態の時に印字駆動する印刷ヘッドと、を備えたインクジェットプリンタ装置において、
当該装置の電源オン時にシステムリセット信号で制御回路及び前記コモン信号生成回路をリセットする手段と、またライン印刷終了した時に前記制御回路及びコモン信号生成回路をリセットし、前記データラッチ回路に無印字データを転送し当該回路の出力信号をオフにする手段とを備えることを特徴とするプリントヘッド保護回路。
【発明の詳細な説明】
【０００１】
【発明の属する技術分野】
本発明は、インクジェットプリンタの印刷ヘッド保護及び誤動作防止のための回路に関する。
【０００２】
【従来の技術】
図１の印刷ヘッド１３で印刷動作を行う場合、印刷するデータを格納してあるメモリ１７から、ＣＰＵ１１が印刷データを取り出し、制御回路１４にその取り出した印刷データを転送する。また、ＣＰＵ１１は、コモン信号生成回路１２を制御するための制御データを制御信号１４に転送する。
【０００３】
制御回路１４は、ＣＰＵ１１から転送された印刷データをデータラッチ回路１６に転送する。この時、制御回路１４は、印刷データと同時に同期信号とラッチ信号を出力する。また、制御回路１４は、コモン信号生成回路１２を制御するためのタイミング信号を生成し、出力する。
【０００４】
データラッチ回路１６は、リセット端子が無く、図３のように同期信号で取り込んだデータを格納するレジスタと、出力するためのラッチ信号で格納するレジスタの２段構成になっている。１段目のレジスタから２段目のレジスタへのシフトは、ラッチ信号に同期して行われる。リセット端子がないため電源オン時は、出力不定となる。
【０００５】
データラッチ回路１６の出力信号により、駆動回路１５を制御し、制御回路１４からのコモン信号制御信号により、コモン信号生成回路１２を制御する。コモン信号生成回路１２からの制御信号とデータラッチ回路１６の出力信号が、同時にオン状態の場合に印刷ヘッド１３は駆動する。
【０００６】
ここで、図４の制御回路１４のコモン信号制御信号が、図２のコモン信号生成回路１２のスイッチの制御信号とし、データラッチ回路の出力信号ａ１，ａ２，ａ３，ａ４，ａ５，ａ６が、図２の駆動回路１５のスイッチ２１、２２，２３、２４、２５、２６の制御信号とすると、図４の波形のオン状態を１とした場合、図４の印刷サイクルｔ１期間中に駆動される印刷ヘッドは、図２のＨｂ、Ｈｃ、Ｈｆとなる。印刷サイクルｔ２期間中の駆動される印刷ヘッドは、Ｈａ、Ｈｂ、Ｈｃ、Ｈｆ、印刷サイクルｔ３期間中の駆動される印刷ヘッドは、Ｈｃ、Ｈｄ、Ｈｆ、印刷サイクルｔ４期間中の駆動される印刷ヘッドは、Ｈｂ、ｈｃ、Ｈｄ、Ｈｅ、印刷サイクルｔ５期間中の駆動される印刷ヘッドは、Ｈａ、Ｈｃ、Ｈｄ、Ｈｅ、Ｈｆ、印刷サイクルｔ６期間中の駆動される印刷ヘッドは、Ｈａ、Ｈｅ、Ｈｆとなる。
【０００７】
印刷ヘッドの誤動作防止及び保護は、制御回路１４から出力するコモン信号制御信号をオフ状態にすることで、データラッチ回路１６出力信号がオン状態でも印刷ヘッドが駆動しないようにしている。
【０００８】
【特許文献１】
特開平４−３４７６５１号公報
【０００９】
【発明が解決しようとする課題】
従来の回路では、制御回路１４及びコモン信号生成回路１２のいずれか又は両方が、故障していた場合に印刷ヘッドの誤動作及び破壊が発生する可能性がある。
【００１０】
本発明の目的は、印刷ヘッド１３の誤動作及び保護の信頼性を向上させることになる。
【００１１】
【課題を解決するための手段】
本発明によれば、印刷データを格納メモリと、当該メモリから印刷データを読み出すＣＰＵと、読み出された印刷データと同期信号とラッチ信号とコモン信号制御信号を出力する制御回路と、前記コモン信号制御信号を受信し制御信号を出力するコモン信号生成回路と、前記印刷データを前記ラッチ信号に同期にして取り込むデータラッチ回路と、前記制御信号とデータラッチ回路の出力信号が同時にオンの状態の時に印字駆動する印刷ヘッドと、を備えたインクジェットプリンタ装置において、当該装置の電源オン時にシステムリセット信号で制御回路及び前記コモン信号生成回路をリセットする手段と、またライン印刷終了した時に前記制御回路及びコモン信号生成回路をリセットし、前記データラッチ回路に無印字データを転送し当該回路の出力信号をオフにする手段とを備えることを特徴とするプリントヘッド保護回路を得ることができる。
【００１２】
【発明の実施の形態】
以下、本発明の好適な一実施例を図面を参照して説明する。
【００１３】
図５は、本実施例の印刷ヘッド１３の誤動作及び保護対策を適用した処理フローを示す。
【００１４】
図５の電源オン時に、システムリセット信号で制御回路１４及びコモン信号生成回路１２をリセットし、図２のコモン信号生成回路１２のスイッチをオフ状態にする。この時、データラッチ回路１６は、リセット入力端子がないため、出力信号は不定となり、オン状態が存在する可能性がある。
【００１５】
次に、Ｆ／Ｗ処理が起動し、ＣＰＵ１１から制御回路１４に、データラッチ回路１６の出力信号全てがオフ状態となるように、データラッチ回路１６に無印字データをセットするよう命令を出す。制御回路１４は、この命令を受信するとデータラッチ回路１６に無印字データを転送し、データラッチ回路１６の出力信号全てがオフ状態となる。この処理のタイムチャートを図６に示す。
【００１６】
この時点で、制御回路１４、コモン信号生成回路１２及びデータラッチ回路１６は、印刷ヘッド１３を駆動しないオフ状態となる。
【００１７】
図５の印刷開始時には、Ｆ／Ｗ処理でＣＰＵ１１は、メモリ１７から印刷データを取り出し、制御回路１４に転送する。制御回路１４は、データラッチ回路１６に印刷データを転送し、コモン信号生成回路制御信号を出力する。コモン信号生成回路１２では、コモン信号を生成し、印刷ヘッド１３に出力する。データラッチ回路１６は、入力したデータを駆動回路１５に出力する。駆動回路１５は、データラッチ回路１６の出力信号により、該当する印刷ヘッドを駆動する。
【００１８】
ライン印刷が終了したとき、データラッチ回路１６では、最後に印刷したデータを保持しているため、誤動作防止としてデータラッチ回路１５の出力信号を全てオフにする必要がある。そこで、制御回路１４は、ライン印刷終了するのを監視し、ライン印刷終了を検知したら、制御回路１４及びコモン信号生成回路１２をリセットし、データラッチ回路１６に無印字データを転送し、データラッチ回路１６の出力信号を全てオフにする。
【００１９】
この時点で、制御回路１４，コモン信号生成回路１２及びデータラッチ回路１６は、印刷ヘッド１３を駆動しないオフ状態となる。
【００２０】
このように、電源オン時及びライン印刷終了時に制御回路１４，コモン信号生成回路１２及びデータラッチ回路１６をオフ状態にすることで、これらの１つで故障が発生しても、印刷ヘッドの誤動作防止及び保護を行う。
【００２１】
【発明の効果】
以上の説明から明らかなように、本発明によれば、データラッチ回路１６出力をオフ状態にすることで、印刷ヘッド１３の誤動作対策及び保護対策の性能が向上する。
【図面の簡単な説明】
【図１】インクジェットプリンタ装置の概略構成を示すブロック図である。
【図２】インクジェットプリンタ装置印刷ヘッド駆動回路の概略を示す図である。
【図３】データラッチ回路の詳細を示す図である。
【図４】印刷動作のタイムチャートを示す図である。
【図５】本実施例における処理フローを示す図である。
【図６】本実施例における無印字データ転送のタイムチャートを示す図である。
【符号の説明】
１１  ＣＰＵ
１２  コモン信号生成回路
１３  印刷ヘッド
１４  制御回路
１５  駆動回路
１６  データラッチ回路
１７  メモリ
２１〜２６  印刷ヘッド駆動スイッチ
【図１】
2005014544.tif 000003
【図２】
2005014544.tif 000004
【図３】
2005014544.tif 000005
【図４】
2005014544.tif 000006
【図５】
2005014544.tif 000007
【図６】
2005014544.tif 000008